(57)【要約】本発明は、回転軸（Ｄ）を有するモータ（２３）と、摩擦ローラ（２４）と、測定ブリッジ（１８）とを備え、摩擦ローラ（２４）がモータ（２３）の駆動軸に連結される、校正用輪軸なしで床下輪軸旋盤（３）を校正する装置（２２）に関する。本発明の目標は、校正用輪軸なしのより単純な校正を可能にすることである。このことは、摩擦ローラ（２４）が、既定の公称直径を有する概して円筒形の摩擦面を有することによって実現される。本発明はさらに、このような装置（２２）を備える床下輪軸旋盤（３）および床下輪軸旋盤（３）を校正する方法に関する。【選択図】図４Ｂ
2021503379.tif 000002
【特許請求の範囲】
【請求項１】
−  回転軸（Ｄ）を有するモータ（２３）と、
−  摩擦ローラ（２４）と、
−  測定ブリッジ（１８）と、
を備え、
−  前記摩擦ローラ（２４）が前記モータ（２３）の駆動軸に連結される、校正用輪軸なしで床下輪軸旋盤（３）を校正する装置（２２）であって、
前記摩擦ローラ（２４）が、既定の公称直径を有する概して円筒形の摩擦面を有することを特徴とする、装置（２２）。
【請求項２】
前記装置（２２）は、前記モータ（２３）および／または前記摩擦ローラ（２４）の回転位置を検出するための手段を備えることを特徴とする、請求項１に記載の装置。
【請求項３】
インクリメンタルエンコーダ、具体的には、前記モータ（２３）に一体化されたインクリメンタルエンコーダが、前記モータ（２３）および／または前記摩擦ローラ（２４）の回転位置を検出する手段として使用されることを特徴とする、請求項２に記載の装置。
【請求項４】
前記摩擦ローラ（２４）は、具体的にはクランピングセット（２６）によって、前記モータ（２３）の前記駆動軸に着脱可能なように連結されることを特徴とする、請求項１から３の何れか一項に記載の装置。
【請求項５】
前記モータ（２３）および／または前記摩擦ローラ（２４）は、工具キャリア（６）の工具マウント（６’）に着脱可能なように連結されることを特徴とする、請求項１から４の何れか一項に記載の装置。
【請求項６】
校正用輪軸なしで床下輪軸旋盤（３）を校正する、請求項１から５の何れか一項に記載の装置（２２）を有する、床下輪軸旋盤（３）。
【請求項７】
ａ）測定装置（１）を有する床下輪軸旋盤（３）を用意するステップと、
ｂ）校正する装置を用意するステップと、
ｃ）前記床下輪軸旋盤（３）を校正する、具体的には、前記測定システム（１）を校正するステップと、
を含む、床下輪軸旋盤（３）を校正する方法であって、
校正用輪軸を使用することなく校正が行われることを特徴とする、方法。
【請求項８】
前記校正は、請求項１から５の何れか一項に記載の装置（２２）によって行われることを特徴とする、請求項７に記載の方法。
【請求項９】
前記校正は、
ｃ１）摩擦ローラ（２４）を前記測定装置（１）の測定ローラ（１１、１２）と接触させる部分ステップと、
ｃ２）前記摩擦ローラ（２４）および／または前記測定ローラ（１１、１２）が互いに転動するように前記ローラ（１１、１２、２４）を駆動する部分ステップと、
ｃ３）前記摩擦ローラ（２４）を測定する、具体的には、前記摩擦ローラ（２４）の直径を測定する部分ステップと、
ｃ４）ステップｃ３）で測定された値を考慮に入れて前記測定装置（１）を校正する部分ステップと、
を含むことを特徴とする、請求項７または請求項８に記載の方法。
【請求項１０】
ｃ４ａ）前記摩擦ローラ（２４）と測定ローラ（１１、１２）との間の接触によってｘ軸を校正するステップ、および／または
ｃ４ｂ）前記測定ブリッジ（１８）と測定ローラ（１１、１２）との間の接触によってｚ軸を校正するステップ、
を特徴とする、請求項７から９の何れか一項に記載の方法。
【発明の詳細な説明】
【技術分野】
【０００１】
本発明は、回転軸を有するモータと、摩擦ローラと、測定ブリッジとを備え、摩擦ローラがモータの駆動軸に連結される、校正用輪軸なしで床下輪軸旋盤を校正する装置に関する。
【０００２】
本発明は、このような装置を有する床下輪軸旋盤にも関する。
【０００３】
最後に、本発明は、床下輪軸旋盤を校正する方法に関する。
【背景技術】
【０００４】
床下輪軸旋盤とは、鉄道車両に組み込まれた輪軸を削正できる、すなわち、元のホイールディスクのプロフィルを再現できる、一般的な機械加工装置である。車両に組み込まれた輪軸の機械加工に加えて、これらの機械は個別の輪軸またはボギーの輪軸を削正することができる。
【０００５】
床下旋盤は、削正対象の輪軸または個別の車輪の摩耗状態を測定できる、一体型の測定システム、ここでは測定装置と呼ぶ、を装備することが多い。こうした測定装置は、その事前測定とは別に、新たに削出した輪軸を測定し、生成されたプロフィルが目標の仕様と一致しているかどうかを評価することができる。測定装置は通常、左右のホイールディスクを同時に測定するために、このような床下旋盤上の回転支持体１つにつき１つ設けられている。旋盤の軸のすぐ横に配置されることが多く、その軸に、クイックチェンジ装置によって、旋削工具がクランピングされる。これらの測定装置はそれぞれ、ホイールディスクのプロフィルを数値で表すために、Ｘ値およびＺ値を測定することができる。さらに、このような測定装置には、測定ローラと共に回転駆動される輪軸の直径を判定するために測定ローラがある。同じ技術が可動式の輪軸旋盤にも用いられる。
【０００６】
床下旋盤の測定装置を校正するために、通常は校正用輪軸が用いられる。校正用輪軸は、試験証明書を有し、測定基準となっている。この校正用輪軸を供給し、この校正用輪軸上で以前に判定された形状の特徴を測定することによって、測定装置の個別の軸が正しく設定されているかどうか、したがって、正しい測定値を出力できるかどうかを検証することができる。
【０００７】
しかし、校正用輪軸の操作は、それらのサイズおよび重量のせいで非常に複雑であり、その結果、場合によっては校正用輪軸の測定を複数含む校正操作は非常に複雑になる。
【発明の概要】
【発明が解決しようとする課題】
【０００８】
こうした背景に対して、本発明の根底にある目的は、床下輪軸旋盤の校正操作を単純化することである。
【課題を解決するための手段】
【０００９】
その目的は、最初に記述した装置において、摩擦ローラが、既定の公称直径を有する概して円筒形の摩擦面を有するという点で達成される。
【００１０】
装置は、校正用輪軸を使用することなく床下輪軸旋盤を校正するように働く。装置はまず、回転軸を有するモータと、摩擦ローラとを備え、摩擦ローラがモータの駆動軸に連結される。モータは、たとえば、電気モータ、具体的には、電気サーボモータとすることができる。装置は測定ブリッジも備える。測定ブリッジは、横断方向においてレールに横架し、横断方向の既定の公称寸法を表すように働く。回転軸を有するモータおよび摩擦ローラは、好ましくは、２つの測定装置を２本のレールの両側で同時に校正できるように、いずれも測定ブリッジの両端に配置される。具体的には、測定装置のｚ方向は測定ブリッジ上で校正することができる。これは、今までは校正用輪軸の車輪の内面を接触させることによって実行してきた。モータは、摩擦ローラがモータの回転軸を中心に回転するように、摩擦ローラを駆動するように働く。
【００１１】
摩擦ローラは、既定の公称直径を有する概して円筒形の摩擦面を有するので、校正用輪軸の代わりに摩擦ローラを用いることができる。校正用輪軸（「ゲージ輪軸」）と同様に、摩擦ローラも既定の寸法、具体的には、既定の直径を有するので、測定値が既知の公称寸法に合致するかどうかを検証するために、校正中に摩擦ローラを測定できる。摩擦ローラは、好ましくは、公差が１／１００ｍｍ以下の範囲にある公称直径を有する。摩擦ローラの公称直径は、通常の校正用輪軸の場合よりも公差がより小さいはずであり、そうなると、より正確な校正が可能である。摩擦ローラが公称直径の異なる２つ以上のセクションを有することを提供することができる。このことは、直径が異なる場合の測定および校正を可能にし、そうすることで、妥当性のチェックを行うことができる。
【００１２】
したがって、校正用輪軸を必要とせずにそれを供給する必要なしに、装置が床下輪軸旋盤の一体型の測定装置を校正することが可能である。
【００１３】
装置の一構成によれば、装置は、モータおよび／または摩擦ローラの回転位置を検出する手段を備えることが提供される。回転位置の検出は、正確な校正を実行できるように機能する。
【００１４】
その構成に関連して、インクリメンタルエンコーダ、具体的には、モータに一体化されたインクリメンタルエンコーダが、モータおよび／または摩擦ローラの回転位置を検出する手段として使用されることがさらに提案される。インクリメンタルエンコーダによって、モータおよび／または摩擦ローラの回転位置の特に精密な検出が可能になる。さらに、インクリメンタルエンコーダが、位置の増分値および絶対値を出力できるという利点を有する。
【００１５】
装置のほかの設計によれば、摩擦ローラは、着脱可能であり、具体的には、クランピングセットによって、モータの駆動軸に連結されることが提供される。モータおよび摩擦ローラの着脱可能な連結は、摩擦ローラを簡単に交換できるという利点を有する。このように、様々な摩擦ローラを使用できる。クランピングセットによって、ここで摩擦ローラの特に好都合な交換が可能になる。
【００１６】
装置のほかの構成によれば、モータおよび／または摩擦ローラは、工具キャリアの工具マウントに着脱可能なように連結されることが提供される。典型的には工具インターフェースが、公差の厳しい、精密に既定された位置を有するので、モータが、場合によっては、それに固定された摩擦ローラが、工具インターフェースに搭載されることによって、特に精密な校正が可能になる。さらに、工具インターフェースは、単純かつ迅速な変更を可能にする、標準化されたインターフェースを有することが多い。
【００１７】
目的は、やはり、校正用輪軸なしで床下輪軸旋盤を校正する、請求項１から５の何れか一項に記載の装置を有する、床下輪軸旋盤によって達成される。床下輪軸旋盤は、鉄道車両の輪軸を機械加工するように働き、したがって、典型的には、少なくとも１つの工具、具体的には、少なくとも１つの旋削工具を備える。
【００１８】
最後に、その目的は、ａ）測定装置を有する床下輪軸旋盤を用意するステップと、ｂ）校正する装置を用意するステップと、ｃ）床下輪軸旋盤を校正する、具体的には、測定システムを校正するステップと、を含む、床下輪軸旋盤を校正する方法によって達成される。本発明によれば、校正用輪軸を使用することなく校正が行われることが提供される。重量の大きい校正用輪軸の使用を省くことによって、校正操作は、本質的に、より迅速により高い費用効果で実行することができる。
【００１９】
校正用輪軸の省略は、たとえば、請求項１から５の何れか一項に記載の装置によって校正が行われることで実現することができる。前述した装置を使用すると、装置の摩擦ローラが校正用輪軸のホイールディスクの機能を担うので、校正用輪軸を省略することができる。
【００２０】
その方法の一構成によれば、校正は、ｃ１）摩擦ローラを測定装置の測定ローラと接触させる部分ステップと、ｃ２）摩擦ローラおよび／または測定ローラが互いに転動するようにそれらローラを駆動する部分ステップと、ｃ３）摩擦ローラを測定する、具体的には、摩擦ローラの直径を測定する部分ステップと、ｃ４）ステップｃ３）で測定された値を考慮に入れて測定装置を校正する部分ステップと、を含むことが提供される。
【００２１】
その方法のほかの構成によれば、最後に、ｃ４ａ）摩擦ローラ（２４）と測定ローラ（１１、１２）との間の接触によってｘ軸を校正するステップ、および／または、ｃ４ｂ）測定ブリッジ（１８）と測定ローラ（１１、１２）との間の接触によってｚ軸を校正するステップ、を提供することができる。
【００２２】
装置は、一体型測定システムのｚ軸を校正するように働く、測定ブリッジと呼ばれる寸法測定器具を備えることができる。これは、たとえば、床下輪軸旋盤の変位可能なレールに取り付けることができる。さらに、装置は被動測定ローラを備えることができ、その被動測定ローラは、機械にある工具インターフェースに装着することができ、その校正は直径測定装置を転動させることによって可能になる。
【００２３】
したがって、校正用輪軸の代わりに、測定ブリッジを機械に固定することができ、これはほとんど手を煩わせることなく実現される。たとえば、測定ブリッジはスライドレールにクランピングすることができる。同様に、測定しようとする測定装置の隣接する工具ホルダに、直径測定装置を設置することができる。
【００２４】
したがって、それぞれの機械側の測定システムは、測定ブリッジのｚ軸方向において位置決めおよび校正することができ、これは今までは校正用輪軸の内側で行われていた。測定装置の測定ホイールは直径測定装置上で校正される。そのために、測定装置の測定ホイールは、操作を開始するとすぐにスリップせずに摩擦ローラが測定ホイールを駆動するように、被動摩擦ローラ上に位置決めおよび押圧される。次いで、摩擦ローラの既定の回転が行われ、その回転が同時にスリップすることなく測定ホイールを駆動する。したがって、摩擦ホイールおよび測定ホイールに関する２つの直径の同時のずれと回転速度を比較することで、測定ホイールの校正が可能になる。さらに、摩擦ローラとの測定ローラの接点は、測定装置を校正するためのｘ値として用いることができる。
【００２５】
本発明は、
−  生産が複雑な様式でなければならず校正中の操作に過大な労力を伴う校正用輪軸が必要ないこと、
−  測定基準の寸法測定器具をより単純に生産および測定できるので、機械のより精密な校正が可能であること、
−  保管用ラック、軌道上で機械の正面に校正用輪軸を設置するクレーンなど、校正用輪軸をクランピングする副次的な労力が必要ないこと、
−  機械のより迅速な校正が可能であること、
を特徴とする。
【００２６】
単に好ましい例示的な実施形態を表す図面に基づいて、本発明を以下でより詳細に説明する。
【図面の簡単な説明】
【００２７】
【図１】従来技術から知られる床下輪軸旋盤の測定装置を示す。
【図２Ａ】図１の測定装置の構造を示す。
【図２Ｂ】図２Ａの測定装置の断面を示す。
【図３】床下輪軸旋盤のレール上の、床下輪軸旋盤を校正する本発明による装置の測定ブリッジを示す。
【図４Ａ】床下輪軸旋盤を校正する本発明による装置を概略図に示す。
【図４Ｂ】図４Ａの装置を拡大斜視図に示す。
【図４Ｃ】図４Ｂの装置の断面を示す。
【発明を実施するための形態】
【００２８】
図１に、（図１には部分的にのみ示す）床下輪軸旋盤３の回転支持体２上に配置された、従来技術から知られる測定装置１を示す。床下輪軸旋盤３は、鉄道車両の輪軸４を機械加工するように働き、摩擦ローラドライブ５を有する。摩擦ローラドライブ５は、輪軸４をそのホイールディスク４’を介して駆動し、その軸Ａを中心に回転させるように働く。回転支持体２上には、様々な工具を受容できる工具キャリア６も配置される。床下輪軸旋盤３は、輪軸４の軸Ａに平行に延在する横梁７と、やはり輪軸の軸Ａに平行に延在するスピンドル８も備える。スピンドル８が回転すると、回転支持体２が輪軸４の軸Ａの方向、すなわち、横梁７に平行な方向に直線的に変位する。
【００２９】
図１の測定装置１の構造を図２Ａに示す。同様に、輪軸４のホイールディスク４’を示す。図１に関連して既に記述した部分には、図２Ａおよびほかの全ての図で該当する参照番号を付した。測定装置１は、下側部分９および可動式の上側部分１０を備え、上側部分１０は、輪軸４の軸Ａに沿って下側部分９に対して摺動できる。下側部分９も機械のｘ方向に摺動することができる。測定装置１は踏面測定ローラ１１および後方測定ローラ１２も備え、測定ローラ１１、１２は両方とも測定装置１の可動式の上側部分１０に回転可能なように支持される。測定装置１の構造および機能についてより精密な詳細を図２Ｂに関連して以下に説明する。
【００３０】
図２Ｂに、図２Ａの測定装置の断面を示す。図１または図２Ａに関連して既に記述した部分には、図２Ｂでは該当する参照番号を付した。可動部分１０は、下側部分９に対して直線的に変位可能であり、これはガイド１３によって実装される。測定装置１は筐体１４を有し、筐体１４は、図２Ａに示す構成では２つの筐体部品１４Ａ、１４Ｂを備える。踏面測定ローラ１１および後方測定ローラ１２は両方とも、筐体１４に対して回転可能なように支持され、踏面測定ローラ１１は、ローラベアリング１５Ａによって筐体部品１４Ａに対して回転可能なように支持され、後方測定ローラ１２は、ローラベアリング１５Ｂによって筐体部品１４Ｂに対して回転可能なように支持される。踏面測定ローラ１１および後方測定ローラ１２は、互いに独立して回転可能なように支持される。測定装置１は筐体１４に連結された回転センサ１６も有する。回転センサ１６は、継手１７を介して踏面測定ローラ１１に連結し、そこから再び分離することができる。
【００３１】
床下輪軸旋盤を校正する本発明による装置の測定ブリッジを、図３で床下輪軸旋盤のレールのところに示す。図１から図２Ｂに関連して既に記述した部分には、図３でもやはり該当する参照番号を付した。測定ブリッジ１８は両端に支持体１９を有し、支持体１９によって、測定ブリッジ１８がスライドレール２０に沿って摺動することができる。前述した測定装置１も２つ示し、いずれもスライドレール２０に割り当てられる。複数のローラキャリア２１も示し、ローラキャリア２１には、既に前述（図１）した摩擦ローラドライブ５が支持され、摩擦ローラドライブ５は、輪軸を昇降させる（図３では両方向矢印によって示す）ために垂直方向に変位可能に支持される。
【００３２】
図４Ａに、床下輪軸旋盤を校正する本発明による装置２２を概略図に示す。図１から図３に関連して既に記述した部分には、図４Ａでは該当する参照番号を付した。装置２２は、モータ２３および摩擦ローラ２４（「測定ローラ」）を備え、摩擦ローラ２４は、回転軸Ｄを中心に回転可能になるように支持される。モータ２３は、たとえば、電気サーボモータとすることができる。モータ２３は、好ましくは、回転位置を検出する一体型のインクリメンタルエンコーダを有する。装置２２は、工具キャリア６上に配置された工具マウント６’上に搭載することができる。工具インターフェースは公差が非常に小さくなければならないので、工具マウント６’を使用することによって、特に精密な校正を実現することができる。図１に関連して既に記述したように、工具キャリア６は、測定装置１と同様に、回転支持体２上に搭載される。（校正）装置２２は、その摩擦ローラ２４が測定装置１に接触するように、具体的には、測定装置１の踏面測定ローラ１１に接触するように搭載される。このように、測定装置１は、校正用輪軸またはゲージ輪軸を必要とせずに、装置２２によって校正することができる。
【００３３】
図４Ａの装置２２を、図４Ｂでは拡大斜視図に示す。最後に、図４Ｃに、図４Ｂの装置２２の断面を示す。図１から図４Ａに関連して既に記述した部分には、図４Ｂおよび図４Ｃでは該当する参照番号を付した。図では、摩擦ローラ２４が、摩擦に基づいて測定装置１の踏面測定ローラ１１を駆動できる概して円筒形の外面を有することが確認できる。校正中は（たとえば、輪軸を機械加工する）工具が必要ないので、装置２２は、工具の代わりに、工具キャリア６上に搭載することができる。搭載はアングル（独：Winkel，英：angle）２５によって行われる。摩擦ローラ２４は、クランピングセット２６によって装置２２に連結し、そこから分離することができる。
【符号の説明】
【００３４】
１  測定装置
２  回転支持体
３  床下輪軸旋盤
４  輪軸
４’  （輪軸４の）ホイールディスク
５  摩擦ローラドライブ
６  工具キャリア
６’  工具マウント
７  横梁
８  スピンドル
９  （測定装置１の）下側部分
１０  （測定装置１の）上側部分
１１  踏面測定ローラ
１２  後方測定ローラ
１３  ガイド
１４  筐体
１４Ａ、１４Ｂ  筐体部品
１５Ａ、１５Ｂ  ローラベアリング
１６  回転センサ
１７  継手
１８  測定ブリッジ
１９  支持体
２０  スライドレール
２１  ローラキャリア
２２  校正する装置
２３  モータ
２４  摩擦ローラ
２５  アングル
２６  クランピングセット
Ａ  （輪軸４の）軸
Ｄ  （摩擦ローラ２４の）回転軸
【図１】
2021503379.tif 000003
【図２Ａ】
2021503379.tif 000004
【図２Ｂ】
2021503379.tif 000005
【図３】
2021503379.tif 000006
【図４Ａ】
2021503379.tif 000007
【図４Ｂ】
2021503379.tif 000008
【図４Ｃ】
2021503379.tif 000009
【手続補正書】
【提出日】令和1年11月28日(2019.11.28)
【手続補正１】
【補正対象書類名】特許請求の範囲
【補正対象項目名】全文
【補正方法】変更
【補正の内容】
【特許請求の範囲】
【請求項１】
−  回転軸（Ｄ）を有するモータ（２３）と、
−  摩擦ローラ（２４）と、
−  測定ブリッジ（１８）と、
を備え、
−  前記摩擦ローラ（２４）が前記モータ（２３）の駆動軸に連結され、
−  前記摩擦ローラ（２４）が、既定の公称直径を有する概して円筒形の摩擦面を有する、
校正用輪軸なしで床下輪軸旋盤（３）の一体型の測定装置を校正する装置（２２）であって、
前記装置（２２）は、前記モータ（２３）および／または前記摩擦ローラ（２４）の回転位置を検出するための手段を備えることを特徴とする、装置（２２）。
【請求項２】
インクリメンタルエンコーダ、具体的には、前記モータ（２３）に一体化されたインクリメンタルエンコーダが、前記モータ（２３）および／または前記摩擦ローラ（２４）の回転位置を検出する手段として使用されることを特徴とする、請求項１に記載の装置。
【請求項３】
前記摩擦ローラ（２４）は、具体的にはクランピングセット（２６）によって、前記モータ（２３）の前記駆動軸に着脱可能なように連結されることを特徴とする、請求項１または２に記載の装置。
【請求項４】
前記モータ（２３）および／または前記摩擦ローラ（２４）は、工具キャリア（６）の工具マウント（６’）に着脱可能なように連結されることを特徴とする、請求項１から３の何れか一項に記載の装置。
【請求項５】
校正用輪軸なしで床下輪軸旋盤（３）を校正する、請求項１から４の何れか一項に記載の装置（２２）を有する、床下輪軸旋盤（３）。
【請求項６】
ａ）測定装置（１）を有する床下輪軸旋盤（３）を用意するステップと、
ｂ）校正する装置を用意するステップと、
ｃ）前記床下輪軸旋盤（３）を校正する、具体的には、前記測定システム（１）を校正するステップと、
を含む、床下輪軸旋盤（３）を校正する方法であって、
校正用輪軸を使用することなく校正が行われること、ならびに前記校正は、
ｃ１）摩擦ローラ（２４）を前記測定装置（１）の測定ローラ（１１、１２）と接触させる部分ステップと、
ｃ２）前記摩擦ローラ（２４）および／または前記測定ローラ（１１、１２）が互いに転動するように前記ローラ（１１、１２、２４）を駆動する部分ステップと、
ｃ３）前記摩擦ローラ（２４）を測定する、具体的には、前記摩擦ローラ（２４）の直径を測定する部分ステップと、
ｃ４）ステップｃ３）で測定された値を考慮に入れて前記測定装置（１）を校正する部分ステップと、
を含むことを特徴とする、方法。
【請求項７】
前記校正は、請求項１から５の何れか一項に記載の装置（２２）によって行われることを特徴とする、請求項６に記載の方法。
【請求項８】
ｃ４ａ）前記摩擦ローラ（２４）と測定ローラ（１１、１２）との間の接触によってｘ軸を校正するステップ、および／または
ｃ４ｂ）前記測定ブリッジ（１８）と測定ローラ（１１、１２）との間の接触によってｚ軸を校正するステップ、
を特徴とする、請求項６または７に記載の方法。
【国際調査報告】
2021503379.tif 000010
2021503379.tif 000011
2021503379.tif 000012
2021503379.tif 000013